(57)【要約】      （修正有）【課題】転動体を主要素とするスライド機構に異物が侵入しないようにする。【解決手段】エンドシールＳのリップ部９に形成された斜面９ｂであって、上記シール部材４，５の端面と対向するとともに端面に接触する位置に第１，２補助リップ部１４，１５を形成し、シール部材４，５の端面と上記リップ部９の斜面９ｂとの間に形成される段差を上記第１，２補助リップ部１４，１５で埋めている。このように段差を埋めたので、スライド機構Ｍには、段差の部分を通って異物が侵入したりしない。【選択図】図１
2011012715.tif 000002
【特許請求の範囲】
【請求項１】
長手方向に沿ってガイド面が形成されたガイドレールと、このガイドレールにまたがって摺動するスライダと、このスライダに設けた転動体を連続させたスライド機構と、このスライド機構に異物が侵入するのを防止するシール部材と、ガイドレールにまたがってスライダの端面に取り付けられるとともにガイドレールと接触するリップ部を一体に設けたゴム製のエンドシールとを備えた直動案内ユニットにおいて、上記エンドシールのリップ部に形成された斜面には、上記シール部材の端面と対向するとともにその端面に接触する位置に補助リップ部を形成し、シール部材の端面と上記リップ部の斜面との間に形成される段差によるすき間を上記補助リップ部で埋め、上記スライド機構に異物が侵入するのを防止する構成にした直動案内ユニット。
【請求項２】
スライダに設けた上記シール部材は、ガイドレールの平面に接触する内面シール部材である請求項１記載の直動案内ユニット。
【請求項３】
スライダに設けた上記シール部材は、ガイドレールの側面に接触する下面シール部材である請求項１記載の直動案内ユニット。
【請求項４】
上記スライダには、内面シール部材と下面シール部材とを設け、内面シール部材の端面に対向する上記リップ部の斜面に第１補助リップ部を形成し、下面シール部材の端面に対向する上記リップ部の斜面に第２補助リップ部を形成した請求項１記載の直動案内ユニット。
【請求項５】
上記エンドシールには、ワイパーシールを組み込むとともに、このワイパーシールの外側にスクレーパーを設けた請求項１〜４のいずれか１に記載した直動案内ユニット。
【発明の詳細な説明】
【技術分野】
【０００１】
この発明は、工作機械など、異物が発生しやすい環境下で用いるのに適した直動案内ユニットに関する。
【背景技術】
【０００２】
図４〜図８に示した従来の直動案内ユニットは、ガイドレール１をまたいでスライドするスライダ２を備えている。そしてこのスライダ２には、その両端に取り付けたエンドキャップ２ａ内で方向転換する転動体３を設けているが、この転動体３は、図５に示すようにガイドレール１のガイド面１ａに沿って転動しながら、スライダ２をガイドレール１に沿って移動させるものである。なお、上記転動体３および方向転換を含めた転動体３をガイドする軌道等によってスライド機構Ｍを構成する。
【０００３】
上記のようにしたスライダ２であって、ガイドレール１の平面１ｂに対向する内面に、ガイドレール１の長手方向に沿って内面シール部材４を設けている。この内面シール部材４はガイドレール１の長手方向に直交する両端に、内側に折り返したリップ部４ａを形成しているが、このリップ部４ａがガイドレール１の平面１ｂに接触して、その平面１ｂに付着した異物が上記スライド機構Ｍに侵入しないようにしている。
【０００４】
さらに、上記スライダ２の下側に下面シール部材５を、ガイドレール１の長手方向に沿って設けているが、この下面シール部材５は、ガイドレール１の側面１ｃに接触して、外部からの異物が上記スライド機構Ｍに侵入するのを防止している。
【０００５】
また、上記スライダ２のエンドキャップ２ａの外側に、図６に示すワイパーシール６及び封止プレート７を組み込んだゴム製のエンドシールＳを設けるとともに、このエンドシールＳの外側にスクレーパー８を取り付けている。
このようにした直動案内ユニットでは、スライダ２が往復移動する際、上記スクレーパー８によってガイドレール１上の大きな異物を除去するが、このスクレーパー８をすり抜けた小さな異物は、上記ワイパーシール６と、エンドシールＳとによってスライダ２側へ入り込まないようにしている。
【０００６】
上記のようにしたエンドシールＳは、図６からも明らかなように、ガイドレール１に接触するリップ部９を備えるとともに、このリップ部９は、ガイドレール１に接触する接触角部９ａを形成するために、エンドキャップ２ａ側の側面を斜面９ｂとしている。
なお、上記のようにリップ部９に接触角部９ａを設けたのは、ガイドレールに対する接触面積を小さくして、スライダ２の摺動抵抗を小さくして、リップ部９の巻き込みを防止するためである。
【先行技術文献】
【特許文献】
【０００７】
【特許文献１】特開２００８−２８１０９１号公報
【発明の概要】
【発明が解決しようとする課題】
【０００８】
上記のようにした従来の直動案内ユニットでは、図７に示すように、内面シール部材４および下面シール部材５と、エンドシールＳの斜面９ｂとの間に、段差によるすき間１０，１１ができてしまうが、矢印１２，１３方向からの異物が、上記段差によるすき間１０，１１の部分を経由してスライド機構Ｍに侵入してしまうという問題があった。
この発明の目的は、上記シール部材と斜面との間に形成される段差による隙間を埋めるようにして、スライド機構に異物が侵入しない直動案内ユニットを提供することである。
【課題を解決するための手段】
【０００９】
この発明は、長手方向に沿ってガイド面が形成されたガイドレールと、このガイドレールにまたがって摺動するスライダと、このスライダに設けた転動体を連続させたスライド機構と、このスライド機構に異物が侵入するのを防止するシール部材と、ガイドレールにまたがってスライダの端面に取り付けられるとともにガイドレールと接触するリップ部を一体に設けたゴム製のエンドシールとを備えた直動案内ユニットを前提にするものである。
【００１０】
上記直動案内ユニットを前提にしつつ、第１の発明は、上記エンドシールのリップ部に形成された斜面には、上記シール部材の端面と対向するとともにその端面に接触する位置に補助リップ部を形成している。そして、上記シール部材の端面と上記リップ部の斜面との間に形成される段差によるすき間を上記補助リップ部で埋め、上記スライド機構に異物が侵入するのを防止する構成にしている。
【００１１】
第２の発明は、スライダに設けた上記シール部材を、ガイドレールの平面に接触する内面シール部材としている。
第３の発明は、スライダに設けた上記シール部材を、ガイドレールの側面に接触する下面シール部材としている。
【００１２】
第４の発明は、上記スライダに、内面シール部材と下面シール部材とを設け、内面シール部材の端面に対向する上記リップ部の斜面に第１補助リップ部を形成し、下面シール部材の端面に対向する上記リップ部の斜面に第２補助リップ部を形成している。
第５の発明は、上記エンドシールには、ワイパーシールを組み込むとともに、このワイパーシールの外側にスクレーパーを設けたものである。
【発明の効果】
【００１３】
第１〜５の発明によれば、シール部材とエンドシールの斜面との間に形成される段差によるすき間を補助リップ部で埋めるようにしたので、異物がこの段差によるすき間の部分を通過できなくなり、異物がスライド機構に侵入するのを防止できる。
【図面の簡単な説明】
【００１４】
【図１】スライダを下側から見た要部の拡大斜視図である。
【図２】エンドキャップとの接触面側から見たエンドシールの正面図である。
【図３】第２補助リップ部により段差によるすき間がふさがれた状態を示す一部拡大図である。
【図４】従来の直動案内ユニットを示す正面図である。
【図５】従来の直動案内ユニットを示す断面図である。
【図６】従来の直動案内ユニットにおけるエンドシールの部分を示す断面図である。
【図７】従来の直動案内ユニットにおけるスライダを下側から見た拡大斜視図である。
【図８】従来のエンドシールのリップ部と下面シール部材とが連続する部分に段差によるすき間が出来る様子を示した一部拡大図である。
【発明を実施するための形態】
【００１５】
図１〜図３に示した実施形態における全体構成は上記従来と同じである。つまり、スライダ２がガイドレール１にまたがるとともに、スライド機構Ｍによってガイドレール１のガイド面１ａに沿って移動する。
また、上記スライダ２には、エンドキャップ２ａおよびエンドシールＳを設けるとともに、エンドシールＳにはワイパーシール６および封止プレート７を組み込む。さらにこのワイパーシール６の外側にスクレーパー８を設けている。
上記スライダ２には、内面シール部材４と下面シール部材５とを設け、ガイドレール１に付着した異物がスライド機構Ｍに侵入しないようにしている。
【００１６】
そして、この実施形態の最大の特徴は、従来の段差によるすき間１０，１１に対応する部分に第１，２補助リップ部１４，１５を設けたことである。
すなわち、上記第１補助リップ部１４は、斜面９ｂに形成した突起からなるが、この突起は、上記スクレーパー８に向かって断面形状が三角形状で、図２に示すようにその三角形の頂点がガイドレール１側に突き出た形状にしている。このようにした第１補助リップ部１４は、斜面９ｂから露出する内面シール部材４のリップ部４ａの端面に接触させるとともに、スクレーパー８の方向およびスライダ２の幅方向の両方に向かって、斜面９ｂに沿ってその厚さが徐々に薄くなるようにしている。
【００１７】
また、上記第２補助リップ部１５も、第１補助リップ部１４と同様に、斜面９ｂに形成した突起からなるが、この突起は、上記スクレーパー８に向かって断面形状が三角形状で、図２に示すようにその三角形の頂点がガイドレール１の側面に突き出た形状にしている。このようにした第２補助リップ部１５は、斜面９ｂから露出する下面シール部材５のリップ部５ａの端面に接触させるとともに、スクレーパー８の方向およびスライダ２の幅方向の両方に向かって、斜面９ｂに沿ってその厚さが徐々に薄くなるようにしている。
【００１８】
上記のように構成したので、従来の段差によるすき間１０，１１が第１，２補助リップ部１４，１５で埋められ、スライド機構Ｍには異物が侵入しなくなる。このように段差によるすき間１０，１１を第１，２補助リップ部１４，１５で埋めてしまうので、かなり劣悪な環境においても、スライド機構Ｍを保護し、その耐久性を向上させるとともに、製品寿命も延ばすことができる。
【産業上の利用可能性】
【００１９】
特に、劣悪な環境で使用される直動案内ユニットに最適である。
【符号の説明】
【００２０】
１      ガイドレール
１ａ      ガイド面
２      スライダ
３      転動体
Ｍ      スライド機構
４      内面シール部材
５      下面シール部材
６      ワイパーシール
Ｓ      エンドシール
８      スクレーパー
９      リップ部
９b      斜面
１０      すき間
１１      すき間
１４      第１補助リップ部
１５      第２補助リップ部
【図１】
2011012715.tif 000003
【図２】
2011012715.tif 000004
【図３】
2011012715.tif 000005
【図４】
2011012715.tif 000006
【図５】
2011012715.tif 000007
【図６】
2011012715.tif 000008
【図７】
2011012715.tif 000009
【図８】
2011012715.tif 000010